(57)【特許請求の範囲】
【請求項１】
下端にレセプタクルコネクタが設けられた携帯型情報端末を取り外し可能に支持すると共に、支持された携帯型情報端末のレセプタクルコネクタとこれに嵌合されるべきプラグコネクタとの嵌合を許すクレードル装置であって、
上側が後方に傾斜し、携帯型情報端末の背面を支持する主載置面を備えた本体と、
プラグコネクタをその先端が上端から突出するように収容し、かつ、前記主載置面の下端に設けられた回転軸の回りを前方に回動可能な充電用カバーとを有し、
前記充電用カバーの前記上端は、前記主載置面上に保持されるべき携帯型情報端末の下端を支持し、
前記充電用カバーの前記上端に携帯型情報端末の下端が支持されたときに、プラグコネクタは、レセプタクルコネクタに対して嵌合方向に嵌合し、
前記本体は、前記主載置面の前記下端に設けられたリブをさらに有し、
前記リブは、前記充電用カバーが前記前方に回動するのに伴って相対的に該充電用カバーの前記上端から漸次迫り出すことにより、携帯型情報端末を前記充電用カバーの前記上端から迫り上げ、これにより、プラグコネクタがレセプタクルコネクタから嵌合方向に抜去されることを特徴とするクレードル装置。
【請求項２】
前記リブは、前記主載置面の下端のうちのプラグコネクタの両側に対応する位置に設けられた一対のリブ片を含む請求項１に記載のクレードル装置。
【請求項３】
前記回転軸は、前記充電用カバーの両側に設けられ、前記本体に形成された一対のＵ溝に嵌入される一対の円柱状突起から成る請求項１または２に記載のクレードル装置。
【請求項４】
前記充電用カバーは、前記本体と協働して、当該充電用カバーの前記回転軸の回りの回動範囲を所定の角度範囲内に規制するストッパーを持つ請求項１乃至３のいずれか一項に記載のクレードル装置。
【請求項５】
前記充電用カバーを、当該充電用カバーの背面が前記主載置面に接する初期位置へ引き戻すように付勢する付勢機構をさらに有する請求項１乃至４のいずれか一項に記載のクレードル装置。
【請求項６】
請求項１乃至５のいずれか一項に記載のクレードル装置と、前記本体の側部に設けられたハンドセットとを有することを特徴とする卓上電話機。
【発明の詳細な説明】
【技術分野】
【０００１】
本発明は、タブレット端末（多機能携帯端末）やスマートフォン（高機能携帯電話機）などの携帯型情報端末を取り外し可能に支持すると共に、携帯型情報端末と他装置との電気的接続を仲介するクレードル装置に関する。
【背景技術】
【０００２】
現在、タブレット端末（多機能携帯端末）やスマートフォン（高機能携帯電話機）等の種々の携帯型情報端末が発売されている。タブレット端末（多機能携帯端末）の代表例としてｉＰａｄ（登録商標）が知られており、スマートフォン（高機能携帯電話機）の代表例としてｉＰｈｏｎｅ（登録商標）が知られている。
【０００３】
周知のように、各携帯型情報端末には、充電器が付属品として添付されていることが多い。充電器は、給電用ケーブルの一端部に取り付けられた充電用のプラグコネクタと、給電用ケーブルの他端部に取り付けられたプラグ付きアダプタ（変圧装置）と、から構成される。携帯型情報端末を充電する際には、通常、このプラグ付きアダプタのプラグを商用電源の電源コンセント等に差し込むと共に、プラグコネクタを携帯型情報端末の下端に設けられている充電用のレセプタクルコネクタに差し込むことにより、携帯型情報端末に内蔵されている二次電池（例えば、リチウムイオン電池）を充電することができる。尚、これらレセプタクルコネクタおよびプラグコネクタは、充電の他に、携帯型情報端末と他装置との間でのデータ入出力のインターフェースとしても用いられるものがある。
【０００４】
一方、このような携帯型情報端末を支持または保持しつつ充電することが可能な、クレードル装置（保持台、充電台）が、従来から種々提案されている。
【０００５】
例えば、特許文献１は、携帯型情報端末を着脱自在に保持するためのクレードル装置を開示している。特許文献１に開示されたクレードル装置は、携帯型情報端末の底部を支持する当接面と、背部を支持する背板とを有している。携帯型情報端末の底部には、凹部と、凹部内に形成された電極付きの突部とから成るレセプタクルコネクタが構成されている。レセプタクルコネクタの電極は、クレードル装置の当接面上から突出したコネクタ（プラグコネクタ）の接点と接触して電気的に接続される。このクレードル装置は、背板によって携帯型情報端末の自重下降を案内し、当接面によって携帯型情報端末の底部を支持する際に、プラグコネクタがレセプタクルコネクタに嵌合され、電気的接続がなされる。そして、携帯型情報端末に電力を供給し、充電を行う。
【０００６】
特許文献２もまた、携帯型情報端末を着脱自在に保持するためのクレードル装置を開示している。特許文献２に開示されたクレードル装置は、携帯型情報端末の底部を支持する底壁と、背部を支持する後壁と、装着時に側部をガイドする左右の側壁とを有している。携帯型情報端末の底部には、係合穴と、レセプタクルコネクタとが設けられている。一方、保持台の底壁の左側には第１の開口が、右側には第２の開口が形成されている。このクレードル装置はさらに、底壁の第１の開口を介して突出し、携帯型情報端末の係合孔に係合可能に回動するフックと、底壁の第２の開口を介して突出し、弾性部材によって支持されたプラグコネクタとを有している。このクレードル装置も、後壁ならびに側壁によって携帯型情報端末の自重下降を案内し、当接面によって携帯型情報端末の底部を支持すると共に、フックによって携帯型情報端末を保持する。この際に、プラグコネクタがレセプタクルコネクタに嵌合され、電気的接続がなされる。そして、携帯型情報端末に電力を供給し、充電を行う。
【０００７】
また、本出願人も、クレードル装置を提案している。このクレードル装置は、携帯型情報端末を水平面に対して傾斜した主載置面で保持する本体と、プラグコネクタを収容可能な収容部を持ち、主載置面の下端に取り外し可能に取り付けられた充電用カバーとを備えている。充電用カバーは、主載置面上に保持される携帯型情報端末の下端を支持すると共に、下端部に設けられた回転軸の回りを回動可能である。このクレードル装置に／から携帯型情報端末を着脱する際には、クレードル装置に後方に傾斜した態勢で保持されるべき／保持されている携帯型情報端末が充電用カバーと共に手前側に回動することにより、容易に携帯型情報端末をクレードル装置に／から着脱できる。
【０００８】
尚、クレードル装置ではないが、特許文献３、４には、商用電源コンセントに嵌合可能なプラグ器具が開示されている。これらプラグ器具は、把持部と、把持部の一端に回動可能に筐体に取り付けられ、コンセントのレセプタクル端子に接続するプラグ端子とを有している。筐体の一端側の側面には、突出部が設けられている。コンセントに嵌合されたプラグ器具を抜去する際には、コンセントの表面上への突出部の接点を支点として筐体が回動操作されることにより、梃子の原理によって小さい操作力でコンセントのレセプタクル端子からプラグ器具のプラグ端子を抜去可能である。尚、特許文献４に開示されたプラグ器具はさらに、プラグ器具をコンセントに嵌合する際にも突出部がコンセントの表面上への突出部の接点が支点として働くため、コンセントのレセプタクル端子にプラグ器具のプラグ端子を小さい操作力で挿入可能である。
【先行技術文献】
【特許文献】
【０００９】
【特許文献１】特開２００５−２０８７０４号公報
【特許文献２】特開２００９−１５７５７０号公報
【特許文献３】特開平０８−１７１９５９号公報
【特許文献４】特開２００４−２５９５９５号公報
【発明の概要】
【発明が解決しようとする課題】
【００１０】
特許文献１、２に開示されたもの、また、本出願人提案のものをも含め、関連技術によるクレードル装置に携帯型情報端末が保持されているとき、クレードル装置のプラグコネクタは、携帯型情報端末のレセプタクルコネクタに対して所定の嵌合力を伴って嵌合している。さらに、嵌合状態を確実に維持するために、レセプタクルコネクタに設けられた凹部と、プラグコネクタに設けられたバネによって付勢された爪とから成るラッチ構造を有している場合もある。したがって、クレードル装置から携帯型情報端末を取り外す際には、この嵌合力に打ち勝つように、ユーザは、必要に応じて一方の手でクレードル装置を押さえる一方、他方の手で携帯型情報端末を把持すると共に左右に揺らしながら引っ張る必要があり、使い勝手に劣っている。しかも、このような操作によってクレードル装置から携帯型情報端末を取り外す際には、コネクタ嵌合方向とは異なる方向に負荷（応力）がかかるため、レセプタクルコネクタおよびプラグコネクタが変形したり、破損する虞がある。
【００１１】
尚、特許文献２に開示されたクレードル装置においては、プラグコネクタを支持する弾性部材により、ある程度の異方向負荷は吸収される。しかし、プラグコネクタを弾性部材によって支持する構造は複雑であり、高コストである。さらに、長期に亘る使用、多数回の取り外し、あるいは、高温環境下での使用により、弾性部材が変形する可能性がある。弾性部材が変形すると、プラグコネクタが正規の位置から位置ズレするため、携帯型情報端末のクレードル装置への装着時に、プラグコネクタがレセプタクルコネクタに正常に嵌合されない虞がある。
【００１２】
それ故、本発明の課題は、使い勝手および電気的接続の信頼性に優れていると共に、構造が簡素であるクレードル装置を提供することである。
【課題を解決するための手段】
【００１３】
本発明によれば、下端にレセプタクルコネクタが設けられた携帯型情報端末を取り外し可能に支持すると共に、支持された携帯型情報端末のレセプタクルコネクタとこれに嵌合されるべきプラグコネクタとの嵌合を許すクレードル装置であって、上側が後方に傾斜し、携帯型情報端末の背面を支持する主載置面を備えた本体と、プラグコネクタをその先端が上端から突出するように収容し、かつ、前記主載置面の下端に設けられた回転軸の回りを前方に回動可能な充電用カバーとを有し、前記充電用カバーの前記上端は、前記主載置面上に保持されるべき携帯型情報端末の下端を支持し、前記充電用カバーの前記上端に携帯型情報端末の下端が支持されたときに、プラグコネクタは、レセプタクルコネクタに対して嵌合方向に嵌合し、前記本体は、前記主載置面の前記下端に設けられたリブをさらに有し、前記リブは、前記充電用カバーが前記前方に回動するのに伴って相対的に該充電用カバーの前記上端から漸次迫り出すことにより、前記充電用カバーの前記上端から携帯型情報端末を迫り上げ、これにより、プラグコネクタがレセプタクルコネクタから嵌合方向に抜去されることを特徴とするクレードル装置が得られる。
【００１４】
前記リブは、前記主載置面の下端のうちのプラグコネクタの両側に対応する位置に設けられた一対のリブ片を含んでいてもよい。
【００１５】
前記回転軸は、前記充電用カバーの両側に設けられ、前記本体に形成された一対のＵ溝に嵌入される一対の円柱状突起から成っていてもよい。
【００１６】
前記充電用カバーは、前記本体と協働して、当該充電用カバーの前記回転軸の回りの回動範囲を所定の角度範囲内に規制するストッパーを持っていてもよい。
【００１７】
前記充電用カバーを、当該充電用カバーの背面が前記主載置面に接する初期位置へ引き戻すように付勢する付勢機構をさらに有していてもよい。
【００１８】
また、本発明によれば、前記クレードル装置と、前記本体の側部に設けられたハンドセットとを有することを特徴とする卓上電話機が得られる。
【発明の効果】
【００１９】
本発明によるクレードル装置は、使い勝手および電気的接続の信頼性に優れていると共に、構造が簡素である。
【図面の簡単な説明】
【００２０】
【図１】本発明の実施例に係るクレードル装置を、側面板を取り外して示す斜視図である。
【図２】図１に示されたクレードル装置を、充電用カバーを取り外して示す平面図である。
【図３】図１に示されたクレードル装置を、ハンドセットを外して示す平面図である。
【図４】図１に示されたクレードル装置で保持されつつ充電される携帯型情報端末を示す図であって、（Ａ）は正面図、（Ｂ）は底面図、（Ｃ）は上面図（平面図）、（Ｄ）は右側面図、（Ｅ）は左側面図である。
【図５】図１に示されたクレードル装置における充電用カバーの収容部にプラグコネクタを収容して固定した状態を示す構成図であって、（Ａ）は正面図、（Ｂ）は右側面図である。
【図６】図３における線XIII-XIIIに沿った断面図である。
【図７】図３における線XIV-XIVに沿った断面図である。
【図８】図３における線XV-XVに沿った断面図である。
【図９】図３に示されたクレードル装置における充電用カバーにプラグコネクタを収容すると共に、携帯型情報端末を支持した状態を示す構成図であって、（Ａ）は正面図、（Ｂ）は右側面図である。
【図１０】本発明の実施例に係るクレードル装置の動作を説明するための図であって、（Ａ）は携帯型情報端末を支持した状態を示す断面図、（Ｂ）は充電用カバーが開かれた状態を示す断面図である。
【図１１】本発明の実施例に係るクレードル装置の動作を説明するための図であって、（Ａ）は携帯型情報端末を支持した状態を示す部分的かつ概念的な断面図、（Ｂ）は充電用カバーが開かれた状態を示す部分的かつ概念的な断面図である。
【発明を実施するための形態】
【００２１】
本発明によるクレードル装置は、上側が後方に傾斜し、携帯型情報端末の背面を支持する主載置面を備えた本体と、プラグコネクタをその先端が上端から突出するように収容し、かつ、主載置面の下端に設けられた回転軸の回りを前方に回動可能な充電用カバーとを有している。充電用カバーの上端は、主載置面上に保持されるべき携帯型情報端末の下端を支持し、充電用カバーの上端に携帯型情報端末の下端が支持されたときに、プラグコネクタは、レセプタクルコネクタに対して嵌合方向に嵌合する。
【００２２】
特に、本クレードル装置において、本体は、主載置面の下端に設けられたリブを有している。このリブは、ユーザ操作によって充電用カバーが前方に回動するのに伴って相対的に充電用カバーの上端から漸次迫り出す。その結果、携帯型情報端末は、充電用カバーの上端から迫り上げられる。これにより、プラグコネクタがレセプタクルコネクタから嵌合方向に抜去される。
【００２３】
上記構成により、本クレードル装置は、使い勝手および電気的接続の信頼性に優れていると共に、構造が簡素である。
【００２４】
より具体的に云えば、これに支持されている携帯型情報端末を取り外す際に、ユーザ操作によって充電用カバーが回動するのに伴ってプラグコネクタがレセプタクルコネクタから嵌合方向に自動的に抜去される。このため、ユーザは、クレードル装置を机上等に対して押さえ付けたり、携帯型情報端末を把持すると共に左右に揺らしながら引っ張る作業を行う必要がなく、使い勝手に優れている。
【００２５】
また、プラグコネクタがレセプタクルコネクタから嵌合方向に抜去されるため、プラグコネクタやレセプタクルコネクタにコネクタ嵌合方向とは異なる方向に負荷（応力）がかかることがない。このため、レセプタクルコネクタおよびプラグコネクタが変形したり、破損する虞がなく、電気的接続の信頼性に優れている。
【００２６】
さらに、充電用カバーが回動するクレードル装置に対して、バネやさらなる回動部品等は不要に、リブが追加されたのみの構造であるため、構造が簡素である。
【００２７】
以下、図面を参照して、本発明によるクレードル装置の具体的な実施例を説明する。
【実施例】
【００２８】
図１〜図３を参照すると、本発明の実施例に係るクレードル装置１０は、机面などの水平面に対して所定角度だけ傾斜した主載置面１１ａを持つ本体１１を有している。本体１１は、その裏面に、当該本体１１を支えるための脚１３２を備えている。したがって、この脚１３２によって、主載置面１１ａが水平面に対して所定角度傾斜することになる。
【００２９】
ここでは、図１〜図３に示されるように、直交座標系（Ｘ，Ｙ，Ｚ）を使用している。図１〜図３に図示した状態では、直交座標系（Ｘ，Ｙ，Ｚ）において、Ｙ軸方向は、主載置面１１ａと平行に延在する前後方向（奥行方向）であり、Ｘ軸方向は、主載置面１１ａと平行に延在し、かつＹ軸方向と直交する左右方向（幅方向）であり、Ｚ軸方向は、主載置面１１ａと直交する上下方向（高さ方向）である。
【００３０】
図示のクレードル装置１０は、レセプタクルコネクタ（後述する）を持つ携帯型情報端末４０（図４参照）を保持しつつ、当該保持した携帯型情報端末のレセプタクルコネクタにプラグコネクタ（後述する）を差し込むことにより、保持した携帯型情報端末を充電可能なクレードル装置である。
【００３１】
図示の例では、携帯型情報端末４０は、ｉＰａｄ等の１０インチ画面を持つタブレット端末（多機能携帯端末）である。
【００３２】
図４（Ａ）および図４（Ｄ）を参照すると、携帯型情報端末４０は、縦長さＬ、幅Ｗ、厚さｔの寸法を持っている。図示の例では、縦長さＬは２４１．２ｍｍであり、幅Ｗは１８５．７ｍｍであり、厚さｔは８．８ｍｍである。そして、図４（Ｂ）に示されるように、携帯型情報端末４０の下端に、レセプタクルコネクタ４０１が設けられている。したがって、携帯型情報端末４０は、最小縦横寸法よりも２倍以上大きい最大縦横寸法を持っている。
【００３３】
携帯型情報端末４０には、図２に示したように、プラグコネクタ１７が付属品として添付される。プラグコネクタ１７は、給電用ケーブル１７２の一端部に取り付けられている。
【００３４】
図１〜図３に戻って、クレードル装置１０は、主載置面１１ａの下端に取り外し可能に取り付けられた充電用カバー１２を有している。図１は充電用カバー１２を主載置面１１ａの下端に取り付けた状態を示す。この充電用カバー１２は、主載置面１１ａ上に保持されるべき上記携帯型情報端末４０の下端を支持する。
【００３５】
携帯型情報端末４０には、プラグコネクタ１７（図５参照）が付属品として添付される。プラグコネクタ１７は、給電用ケーブル１７２の一端部に取り付けられている。
【００３６】
充電用カバー１２は、プラグコネクタ１７を収容可能な収容部を持っている。充電用カバー１２は、主載置面１１ａ上に保持されるべき携帯型情報端末４０の下端を支持する。充電用カバー１２は、その下端部に設けられた回転軸１２６ａ（図５参照）の回りを回動可能である。
【００３７】
図２に示されるように、本体１１の右側面には、側面板１４が取り外し可能に配置されている。
【００３８】
尚、図示のクレードル装置は、本体１１の左側部に、ボリュームボタン２１、複数個のファンクションボタン２３、着信ランプ２５、及びBluetooth（登録商標）モジュール協働用ボタン２７を備えている。
【００３９】
図示のクレードル装置は、本体１１の左側面に設けられている受話部６０と一体的に組み合わせて卓上電話機５０を構成する。受話部６０は、ハンドセット６２とスピーカ６４とを含んでいる。
【００４０】
次に、図５（Ａ）および（Ｂ）を参照すると、充電用カバー１２の収容部１２１の係止爪１２３を押さえ板（図示せず）の係止穴（図示せず）に係合することにより、プラグコネクタ１７は、収容部１２１と押さえ板とに挟まれて固定される。本実施例において、プラグコネクタ１７は、前述した携帯型情報端末（タブレット端末）４０に付属品として添付されるもためある。
【００４１】
プラグコネクタ１７は、給電用ケーブル１７２およびプラグ付きアダプタ（図示せず）を介して、電源コンセントに接続されている。一方、図４に示されるように、携帯型情報端末４０は、その下端部に、プラグコネクタ１７を差し込み可能なレセプタクルコネクタ４０１（図４（Ｂ）参照）を有している。したがって、プラグコネクタ１７を携帯型情報端末４０のレセプタクルコネクタ３０１に差し込むことにより、携帯型情報端末（タブレット端末）４０に内蔵されている二次電池（リチウムイオン電池）を充電することができる。
【００４２】
次に、図２に加えて図５〜図８をも参照して、充電用カバー１２を本体１１の主載置面１１ａ上に取り付けた状態について説明する。
【００４３】
図２および図６に示されるように、クレードル装置１０の本体１１は、その下端部に、主載置面１１ａに形成されたロック爪１１１を有している。一方、図５（Ｂ）および図６に示されるように、充電用カバー１２は、上記ロック爪１１１と係合する突片１２５を持っている。
【００４４】
したがって、充電用カバー１２を本体１１の主載置面１１ａの下端に取り付けた状態では、図６に示されるように、充電用カバー１２の突片１２５が主載置面１１ａに形成されたロック爪１１１で係止されている。この状態において、主載置面１１ａに平行に延在するＸ方向のクッション１５側に充電用カバー１２を水平に押すことで、充電用カバー１２を主載置面１１ａから取り外すことができる。一方、充電用カバー１２を本体１１の主載置面１１ａの下端に取り付ける場合には、逆の動作を行うことにより、充電用カバー１２を本体１１の主載置面１１ａの下端に取り付けることができる。
【００４５】
また、図５（Ｂ）に示されるように、充電用カバー１２は、その下端部の両側で、下方へ延在する両側面１２６を持っている。この両側面１２６には、内側へ突出する一対の円柱状突起１２６ａが形成されている。一方、図２に示されるように、本体１１の主載置面１１ａの下端部には、上記充電用カバー１２の両側面１２６が挿入される一対の挿入穴１１２が形成されている。そして、図７に示されるように、本体１１は、その下端部に、一対の挿入穴１１２（図２参照）と近接した位置で、上記一対の円柱状突起１２６ａが嵌入される一対のＵ溝１１３を有している。
【００４６】
したがって、一対のＵ溝１１３に嵌入される一対の円柱状突起１２６ａは、充電用カバー１２の上記回転軸として作用する。
【００４７】
図５（Ｂ）および図６に示されるように、充電用カバー１２は、その中央部の内壁から下方へ突出する一対のストッパー１２７を持っている。一方、図２に示されるように、本体１１の主載置面１１ａの下端部には、それら一対のストッパー１２７が貫通する一対の貫通穴１１４を持っている。したがって、図６に示されるように、充電用カバー１２の上記回転軸（一対の円柱状突起）１２６ａの回りの回動範囲は、一対のストッパー１２７によって、図６の矢印Ａで示される所定の角度範囲内に規制される。換言すれば、一対のストッパー１２７は、本体１１と協働して、充電用カバー１２の回転軸１２６ａの回りの回動範囲を所定の角度範囲内に規制する。
【００４８】
図８に示されるように、充電用カバー１２は、本体１１の主載置面１１ａに向けて突出するフック１２８を有している。一方、図２および図８に示されるように、本体１１は、その下端部に、主載置面１１ａから充電用カバー１２に向けて突出して、フック１２８と係合する弾性フック１１５を有している。したがって、フック１２８と弾性フック１１５との組み合わせは、充電用カバー１２を、当該充電用カバー１２の背面１２ａが本体１１の主載置面１１ａに接する初期位置に引き戻すように付勢する付勢機構（１２８，１１５）として働く。
【００４９】
図９（Ａ）および（Ｂ）を参照すると、クレードル装置１０は、下端に充電用のレセプタクルコネクタ４０１が設けられた携帯型情報端末４０を取り外し可能に支持すると共に、支持された携帯型情報端末４０のレセプタクルコネクタ４０１とこれに嵌合されるべき充電用のプラグコネクタ１７との嵌合を許す装置である。クレードル装置１０は、本体１１と、充電用カバー１２とを有している。本体１１は、上側が後方に傾斜し、携帯型情報端末４０の背面を支持する主載置面１１ａを備えている。
【００５０】
充電用カバー１２は、プラグコネクタ１７をその先端が上端から突出するように収容し、かつ、主載置面１１ａの下端に設けられた回転軸１２６ａ（図５（Ｂ）、図７参照）の回りを前方に回動可能である。
【００５１】
充電用カバー１２の上端は、主載置面１１ａ上に保持されるべき携帯型情報端末４０の下端を支持する。
【００５２】
プラグコネクタ１７は、充電用カバーの上端に携帯型情報端末４０の下端が支持されたときに、レセプタクルコネクタ４０１に嵌合方向に嵌合する。即ち、クレードル装置１０に携帯型情報端末４０を載置する際に、ユーザが主載置面１１ａに持たせ掛けるように携帯型情報端末４０を置くことにより、携帯情報端末４０は自重によって主載置面１１ａのクッション１５上を滑り落ちる。この結果、携帯情報端末４０の下端が充電用カバー１２の上端面に支持されると同時に、プラグコネクタ１７がレセプタクルコネクタ４０１に嵌合し、電気的接続が完了する。
【００５３】
本クレードル装置１０においては特に、本体１１は、主載置面１１ａの下端に設けられたリブ３０を有している。リブ３０は、プラグコネクタ１７の両側に対応する位置に設けられた一対のリブ片から成っている。
【００５４】
一方、図示はしないが、充電用カバー１２の上端面には、プラグコネクタ１７の先端を突出させる切欠の他に、リブ３０の突出を許す切欠も形成されている。
【００５５】
したがって、リブ３０は、ユーザ操作によって充電用カバー１２が前方に回動するのに伴って相対的に充電用カバー１２の上端面から漸次迫り出す。その結果、図１０（Ａ）および図１１（Ａ）に示されるように充電用カバー１２の上端面上に支持されている携帯型情報端末４０は、図１０（Ｂ）および図１１（Ｂ）に示されるように、充電用カバー１２の上端面からリブ３０によって迫り上げられる。これにより、プラグコネクタ１７がレセプタクルコネクタ４０１から嵌合方向に自動的に抜去される。
【００５６】
尚、図１１（Ａ）および（Ｂ）に示されるように、リブ３０の前方かつ上方の角部には、所定のサイズのＲ面または面取り部が形成されている。これにより、充電用カバー１２の上端面から漸次迫り出すリブ３０が携帯型情報端末４０の下端面に引っ掛かったり下端面を傷付けることなく、携帯型情報端末４０はスムーズに迫り上げられる。
【００５７】
本実施例のクレードル装置１０によれば、これに支持されている携帯型情報端末４０を取り外す際に、ユーザ操作によって充電用カバー１２が回動するのに伴ってプラグコネクタ１７がレセプタクルコネクタ４０１から嵌合方向に自動的に抜去される。このため、ユーザは、クレードル装置１０を机上等に対して押さえ付けたり、携帯型情報端末４０を左右に揺らしながら引っ張る作業を行う必要がなく、使い勝手に優れている。
【００５８】
また、プラグコネクタ１７がレセプタクルコネクタ４０１から嵌合方向に抜去されるため、プラグコネクタ１７やレセプタクルコネクタ４０１にコネクタ嵌合方向とは異なる方向に負荷（応力）がかかることがない。このため、レセプタクルコネクタ４０１およびプラグコネクタ１７が変形したり、破損する虞がなく、電気的接続の信頼性に優れている。
【００５９】
さらに、充電用カバーが回動するタイプのクレードル装置に対して、バネや可動部品は不要に、固定的なリブが追加されるのみの構造であるため、構造が簡素である。
【産業上の利用可能性】
【００６０】
以上、実施例を参照して本発明を説明したが、本発明の構成や詳細については、当業者が理解し得る様々な変更を加えることができる。
【符号の説明】
【００６１】
１０    クレードル装置
１１    本体
１１ａ  主載置面
１１１    ロック爪
１１２    挿入穴
１１３    Ｕ溝
１１４    貫通穴
１１５    弾性フック
１２    充電用カバー
１２ａ  底面
１２１    収容部
１２５    突片
１２６    両側板
１２６ａ  円筒状突起（回転軸）
１２７    ストッパー
１２８    フック
１４    側面板
１５    クッション
１７    プラグコネクタ
１７２    給電用ケーブル
２１    ボリュームボタン
２３    ファンクションボタン
２５    着信ランプ
２７    Bluetoothモジュール協働用ボタン
３０    リブ
４０    携帯型情報端末（タブレット端末）
４０１    レセプタクルコネクタ
５０    卓上電話機
６０    受話部
６２    ハンドセット
６４    スピーカ
【図１】
0005637567.tif 000002
【図２】
0005637567.tif 000003
【図３】
0005637567.tif 000004
【図４】
0005637567.tif 000005
【図５】
0005637567.tif 000006
【図６】
0005637567.tif 000007
【図７】
0005637567.tif 000008
【図８】
0005637567.tif 000009
【図９】
0005637567.tif 000010
【図１０】
0005637567.tif 000011
【図１１】
0005637567.tif 000012